(57)【要約】【課題】ゴミ混合物からビニール等の軟体物を分別できるゴミ分別装置を提供する。【解決手段】ゴミ分別装置１０を、ゴミ混合物を入れて回転させる網状の内転ドラム１２と、内転ドラム内１２で回転し、ゴミ混合物の中の軟体物１４が外周に纏付する分別ドラム１６と、分別ドラム１６の外周に纏わり付いた軟体物１４が落下して載置され、内転ドラム内１２から内転ドラム１２外へ搬送されるコンベア１８とを備えて構成し、軟体物１４をゴミ混合物から分別して取り出せるように構成した。【選択図】　図１
2004098043.tif 000002
【特許請求の範囲】
【請求項１】
ゴミ混合物を入れて回転させる網状の内転ドラムと、
該内転ドラム内で回転し、該ゴミ混合物の中の軟体物又は軽量物が外周に纏付する分別ドラムと、
分別ドラムの外周に纏わり付いた軟体物が落下して載置され、該内転ドラム内から該内転ドラム外へ搬送されるコンベヤと、
を備えたゴミ分別装置。
【請求項２】
ゴミ混合物を入れて回転させる網状円筒部を備えた内転ドラムと、
該内転ドラム内で回転し、該ゴミ混合物の中の軽量物を受け止める羽根を外周に設けた分別ドラムと、
該分別ドラムが掻き上げた軽量物が落下して載置され、該内転ドラム内から該内転ドラム外へ搬送されるコンベヤと、
を備えたゴミ分別装置。
【請求項３】
前記コンベヤが、前記分別ドラムから前記軟体物又は軽量物が落下する位置に備えられた請求項１又は請求項２に記載するゴミ分別装置。
【請求項４】
前記分別ドラムが、前記内転ドラムの回転中心軸よりも、該内転ドラムの回転上昇側上方に備えられた請求項１乃至請求項３のいずれかに記載するゴミ分別装置。
【請求項５】
前記内転ドラムの水平方向に対する傾角を調節する傾角調節手段を備えた請求項１乃至請求項４のいずれかに記載するゴミ分別装置。
【請求項６】
前記内転ドラムの回転方向が前記分別ドラムの回転方向と同一である請求項１乃至請求項５のいずれかに記載するゴミ分別装置。
【請求項７】
前記内転ドラムの内周の周速度が前記分別ドラムの外周の周速度と同一である請求項６に記載するゴミ分別装置。
【請求項８】
前記分別ドラムに設けた羽根が弾性体から成る請求項２に記載するゴミ分別装置。
【請求項９】
前記分別ドラムに設けた羽根の根元付近が狭部である請求項２又は請求項８に記載するゴミ分別装置。
【請求項１０】
前記内転ドラム内へゴミ混合物を導く導入コンベヤと、導入コンベヤ収納部とを備えた請求項１乃至請求項９のいずれかに記載するゴミ分別装置。
【請求項１１】
前記分別ドラムの回転軸を揺動可能に支持する支持手段を備えた請求項１乃至請求項１０のいずれかに記載するゴミ分別装置。
【発明の詳細な説明】
【０００１】
【発明の属する技術分野】
本発明は、粒状物、固形物、軟体物、軽量物等のゴミ混合物を、各々に分別するゴミ分別装置に関する。
【０００２】
【従来の技術】
従来から、廃棄物等を分別できる装置はあったが、風力付与装置が必要となる等、大規模な装置が必要であった（例えば、特許文献１参照。）。また、風力付与装置を設けた場合には、騒音や埃が発生するという問題があった。
【０００３】
【特許文献１】
特開平８−１９２１０６
【０００４】
【発明が解決しようとする課題】
そこで、本発明者は、このような課題の原因を究明してこのような課題を解決するべく、鋭意研究を重ねた結果、本発明に至ったのである。
【０００５】
すなわち、本発明は、木材、ビニール、袋、紐、紙等の軟体物又は軽量物と、土、砂等の重量物とを分別できるゴミ分別装置を提供することを目的とする。
【０００６】
【課題を解決するための手段】
本発明のゴミ分別装置は、ゴミ混合物を入れて回転させる網状の内転ドラムと、該内転ドラム内で回転し、該ゴミ混合物の中の軟体物が外周に纏付する分別ドラムと、分別ドラムの外周に纏わり付いた軟体物が落下して載置され、該内転ドラム内から該内転ドラム外へ搬送されるコンベヤと、を備えたことを特徴とする。本明細書において、「纏付する」とは、軟体物が引っ掛かる、巻き付く、又は付着することを言う。「ゴミ」とは、解体ミンチ等を言う。
【０００７】
また、本発明のゴミ分別装置は、ゴミ混合物を入れて回転させる網状円筒部を備えた内転ドラムと、該内転ドラム内で回転し、該ゴミ混合物の中の軽量物を受け止める羽根を外周に設けた分別ドラムと、該分別ドラムが掻き上げた軽量物が落下して載置され、該内転ドラム内から該内転ドラム外へ搬送されるコンベヤと、を備えたことを特徴とする。
【０００８】
また、本発明のゴミ分別装置は、前記ゴミ分別装置において、前記コンベヤが、前記分別ドラムから前記軟体物又は軽量物が落下する位置に備えられたことを特徴とする。
【０００９】
また、本発明のゴミ分別装置は、前記ゴミ分別装置において、前記分別ドラムが、前記内転ドラムの回転中心軸よりも、該内転ドラムの回転上昇側上方に備えられたことを特徴とする。
【００１０】
また、本発明のゴミ分別装置は、前記ゴミ分別装置において、前記内転ドラムの水平方向に対する傾角を調節する傾角調節手段を備えたことを特徴とする。
【００１１】
また、本発明のゴミ分別装置は、前記ゴミ分別装置において、前記内転ドラムの回転方向が前記分別ドラムの回転方向と同一であることを特徴とする。
【００１２】
また、本発明のゴミ分別装置は、前記ゴミ分別装置において、前記内転ドラムの内周の周速度が前記分別ドラムの外周の周速度と同一であることを特徴とする。
【００１３】
また、本発明のゴミ分別装置は、前記ゴミ分別装置において、前記分別ドラムに設けた羽根が弾性体から成ることを特徴とする。
【００１４】
また、本発明のゴミ分別装置は、前記ゴミ分別装置において、前記分別ドラムに設けた羽根の根元付近が狭部であることを特徴とする。
【００１５】
また、本発明のゴミ分別装置は、前記ゴミ分別装置において、前記内転ドラム内へゴミ混合物を導く導入コンベヤと、該導入コンベヤ収納部とを備えたことを特徴とする。
【００１６】
また、本発明のゴミ分別装置は、前記ゴミ分別装置において、前記分別ドラムの回転軸を揺動可能に支持する支持手段を備えたことを特徴とする。
【００１７】
【発明の実施の形態】
次に、本発明に係るゴミ分別装置の実施の形態について、図面に基づいて詳しく説明する。
【００１８】
図１及び図２において、符号１０は、本発明のゴミ分別装置である。
【００１９】
ゴミ分別装置１０は、ゴミ混合物を入れて回転させる網状の内転ドラム１２と、内転ドラム内１２で回転し、ゴミ混合物の中の軟体物１４が外周に纏付する分別ドラム１６と、分別ドラム１６の外周に纏わり付いた軟体物１４が落下して載置され、内転ドラム内１２から内転ドラム１２外へ搬送されるコンベヤ１８とを備えている。
【００２０】
内転ドラム１２の内周にはゴミ混合物が係合されて持ち上げられる爪２０が備えられている。分別ドラム１６は、外周がゴム製となっていることにより、又は外周に突出後退可能な爪が設けられることにより、爪２０によって持ち上げられたゴミ混合物の中の、ビニール等の軟体物１４が外周に纏わり付いて付着するように構成されている。外周に突出後退可能な爪は、カム機構によって実現される。コンベヤ１８は、分別ドラム１６から落下して載置された軟体物が搬送されるように構成されている。
【００２１】
このようなゴミ分別装置１０は、内転ドラム１２内にゴミ混合物を入れて内転ドラム１２を回転させることにより、ゴミ混合物が爪２０によって持ち上げられる。持ち上げられたゴミ混合物の中の軟体物１４は、回転する分別ドラム１６の外周に纏わり付いて回転運動した後、コンベヤ１８上に落下する。コンベヤ１８上に落下した軟体物１４は、内転ドラム１２の外部へコンベヤ１８によって搬送される。
【００２２】
一方、ゴミ混合物の中の瓶等の固形物や土砂等の粒状物は、分別ドラム１６と内転ドラム１２内周との間に隙間を設けているため、この隙間から、内転ドラム１２内に落下させることができる。固形物及び粒状物の中で、粒状物は網状の内転ドラム１２を通過して外へ落下する。このようにして、ゴミ混合物が、粒状物、固形物及び軟体物に分別される。
【００２３】
以上、本発明の一実施形態について説明したが、本発明のゴミ分別装置は、その他の形態でも実施し得るものである。
【００２４】
例えば、図３に示すゴミ分別装置１００であっても良い。このゴミ分別装置１００は、ゴミ混合物１０２を入れて回転させる網状円筒部１０４を備えた内転ドラム１０６と、内転ドラム１０６内で回転し、ゴミ混合物１０２の中の紐等の軽量物１０８を受け止める羽根１１０を外周に設けた分別ドラム１１２と、分別ドラム１１２が掻き上げた軽量物１０８が落下して載置され、内転ドラム１０６内から内転ドラム１０６外へ搬送されるコンベヤ１１４と、内転ドラム１０６内へゴミ混合物１０２を導く導入コンベヤ１１１と、内転ドラムの水平方向に対する傾角を調節する傾角調節手段１１６と、分別ドラム１１２の回転軸１１３を揺動可能に支持する支持手段１１５とを備えている。
【００２５】
分別ドラム１１２の周速度は調節可能であるが、分別ドラム１１２及び内転ドラム１０６によって、効率良く軽量物１０８を受け止めるためには、内転ドラム１０６の内周の周速度と同一であることが好ましい。また、羽根１１０は、ゴム（弾性体）から成り、複数のゴム板１２６に固定され、そのゴム板１２６が分別ドラム１１２に巻きつけ固定されることにより、分別ドラム１１２に設けられている。また、羽根１１０は、図４に示すように、根元付近を折り曲げてリング１３４を留めることにより、狭部１３６が形成されている。
【００２６】
傾角調節手段１１６は、図５に示すように、内転ドラム１０６の一端に固定されたフレーム１３８と、フレーム１３８を支持するチェーン（ワイヤー）１４０と、チェーン１３８を伸縮する巻き取り装置１４２と、内転ドラム１０６の回動軸１１７とを備えている。巻き取り装置１４２によってチェーン１４０を伸縮することにより、内転ドラム１０６の一端及びフレーム１３８をベース１４４に対して上下に移動させて回動軸１１７のまわりに回動させ、内転ドラム１０６の傾角を３°乃至７°の範囲で容易に調節できる。
【００２７】
支持手段１１５は、図６に示すように、分別ドラム１１２の回転軸１１３を回転可能に支持する支持部材１４６と、支持部材１４６を揺動可能に支持する揺動軸１４８と、ベース１４４に固定され支持部材１４６の溝１５０に挿入された揺動方向規制ピン１５２とを備えている。分別ドラム１１２は、図６（ａ）に示すように、自重によって通常は揺動軸１４８の真下に位置するが、分別ドラム１１２と内転ドラム１０６との間に固形物等が挟まった場合には、その固形物からの押圧力により、図６（ｂ）に示すように、自重による付勢力に抗して揺動し、固形物等からの押圧力を緩和させることができる。
【００２８】
このゴミ分別装置１００によってゴミ混合物１０２の分別を行う場合、まず、重機又はホッパー等によってゴミ混合物１０２が導入コンベヤ１１１上に載置される。ゴミ混合物１０２は、導入コンベヤ１１１によって内転ドラム１０６内へ導かれ、内転ドラム１０６の底に落下する。
【００２９】
内転ドラム１０６の底に落下したゴミ混合物１０２は、内転ドラム１０６が回転することにより、内転ドラム１０６内で回転方向に転動し、粒状物１１８は網目を通って粒状物収納部１５４に落下する。固形重量物１２２は、内転ドラム１０６が傾いていることにより、内転ドラム１０６の底に沿って斜め下へ転動し、貫通部１２４から固形重量物収納部１５６へ落下する。
【００３０】
軽量物１０８は、図７に示すように、内転ドラム１０６の回転によって持ち上げられた後、分別ドラム１１２の羽根１１０上に落下して受け止められ、約半回転してコンベヤ１１４上に落下させられる。一方、粒状物１１８は、回転する羽根１１０によっては受け止められないため、内転ドラム１０６内に落下する。また、固形重量物１２２は、羽根１１０上に落下しても弾性を有する羽根１１０が湾曲するため、羽根１１０によっては受け止められず、内転ドラム１０６内に落下する。コンベヤ１１４上の軽量物１０８は、内転ドラム１０６の外へ搬出された後、軽量物収納部１５８へ落下する。
【００３１】
このようにしてゴミ混合物１０２から、粒状物１１８、固形重量物１２２及び軽量物１０８が分別される。分別後の粒状物１１８等は、再利用され、又は所定場所で処分される。なお、本発明者が本発明のゴミ分別装置１００を現実に製造して試験したところ、家屋解体によって生じたゴミ混合物１０２から、土や壁土である粒状物１１８、石や瓦等である固形重量物１２２、及び木材、竹片、縄や紐である軽量物１０８へ分別することができた。
【００３２】
次に、本発明のゴミ分別装置は、図８に示すようなゴミ分別装置１６０であっても良い。このゴミ分別装置１６０は、トラック１６２上に載置されて使用され、内転ドラム１０６の下方に設けられた導入コンベヤ収納部１６４と、導入コンベヤ１１１の回転軸１６６を支持し案内するガイドレール１６８と、ガイドレール１６８の先端付近に設けた自由回動可能な案内ローラー１７０とを備えている。このゴミ分別装置１６０は、導入コンベヤ１１１の回転軸１６６がガイドレール１６８の湾曲部１７２の斜め下の他端部１７４に支持されて使用される。一方、移動する必要のある場合、導入コンベヤ１１１の回転軸１６６が、持ち上げられることにより湾曲部１７２の間に沿って移動させられた後ガイドレール１６８の間に沿って下降させられ、導入コンベヤ１１１が案内ローラー１７０上に載置される。次に、導入コンベヤ１１１が、案内ローラー１７０上を移動させられ、導入コンベヤ収納部１６４に収納される。このようにして導入コンベヤ１１１が内転ドラム１０６とトラック１６２の荷台１７６との間に収納された状態で、ゴミ分別装置１６０はトラック１６２によって移動させられる。
【００３３】
また、本発明のゴミ分別装置１００において、分別ドラム１１２への羽根１１０の固定方法は特に限定されない。例えば、図９に示すように、羽根１１０を複数のベルト１８０の孔１８２に突き刺して固定し、そのベルト１８０を分別ドラム１１２へ巻き付けることにより、羽根１１０を固定しても良い。ベルト１８０は、樹脂層１８４、布層１８６及び樹脂層１８８の３層から構成されている。羽根１１０は、脚部１９０及び頭部１９２から構成され、脚部１９０を孔１８２の小孔１９４に挿入し、頭部１９２を大孔１９６に係止することにより、ベルト１８０に固定される。なお、ベルト１８０は布層１８６によって強度が保たれるため、大孔１９６は内側の樹脂層１８４にのみ設けられている。このようにして羽根１１０を固定すれば、接着剤又は固定具を使用する必要がない。
【００３４】
また、本発明のゴミ分別装置１００において、図１０に示すように、分別ドラム１１２の周方向に配列された羽根１１０の列同士の間に、滑動ベルト１９８を設け、この滑動ベルト１９８に突起部材２００を設けても良い。滑動ベルト１９８を設けることにより、粒状物１１８又は固形重量物１２２が滑動ベルト１９８上を滑って落下するため、軽量物１０８と一緒に羽根１１０によってコンベヤ１１４まで運搬されることがない。また、突起部材２００を設けることにより、羽根１１０の列同士の間から落下する木片のような軽量物１０８であっても、羽根１１０及び突起部材２００の両方に引っ掛かることにより、羽根１１０によってコンベヤ１１４まで運搬される。すなわち、図１１において、木片（軽量物）１０８は、突起部材２００が無ければ回転上昇する羽根１１０（ａ）及び１１０（ｂ）の間から落下するが、突起部材２００（ａ）に引っ掛かって溜まるため、羽根１１０（ａ）及び突起部材２００（ａ）によって受け止められて落下することはない。
【００３５】
また、本発明のゴミ分別装置１００において、図１２に示すように、羽根１１０の根元に回転方向に窪んだ凹部２０２を設けても良い。この凹部２０２を設けることにより、固形重量物１２２が羽根１１０上に載った場合に羽根１１０が根元から折れ曲がって固形重量物１２２が落下する。このため、固形重量物１２２が羽根１１０に溜まることがない。
【００３６】
以上、本発明の実施形態について図面に基づいて説明したが、本発明のゴミ分別装置は、図示しない形態でも実施し得るものである。
【００３７】
例えば、本発明のゴミ分別装置は、木材解体ミンチから木材を分別することにも利用できる。木材解体ミンチとは、建築物等を解体して生じる廃材である。また、ゴミ分別装置の内転ドラムの上方側半分程度に風を避けるためのカバーを設けても良い。
【００３８】
その他、本発明の技術的範囲には、その趣旨を逸脱しない範囲で当業者の知識に基づき種々なる改良，修正，変形を加えた態様も含まれる。また、同一の作用又は効果が生じる範囲内で、いずれかの発明特定事項を他の技術に置換した形態で実施しても良い。
【００３９】
【発明の効果】
本発明のゴミ分別装置によれば、分別ドラムの外周に軟体物が纏付することにより、軟体物が分別される。
【００４０】
また、コンベヤが内転ドラムの回転中心軸近辺に備えられた本発明のゴミ分別装置によれば、内転ドラムの中心付近で軟体物又は軽量物を確実に受け取って、外へ搬送することができる。
【００４１】
また、分別ドラムが、内転ドラムの回転中心軸よりも、内転ドラムの回転上昇側上方に備えられた本発明のゴミ分別装置によれば、内転ドラムによって持ち上げられたゴミ混合物の中から、軟体物のみを纏付させてコンベヤ上に載置させて分別することができる。
【００４２】
また、羽根を外周に設けた分別ドラムを備えた本発明のゴミ分別装置によれば、回転する羽根によって軽量物を掻き上げてゴミ混合物から分別することができる。
【００４３】
また、傾角調節手段を備えた本発明のゴミ分別装置によれば、固形重量物が転動しやすいように又は粒状物が網目から落下しやすいように、内転ドラムの傾斜角度を調節できる。
【００４４】
また、内転ドラムの回転方向が分別ドラムの回転方向と同一である本発明のゴミ分別装置によれば、内転ドラムの内周及び分別ドラムの外周の両方によって軟体物又は軽量物を持ち上げるため、軟体物又は軽量物を、効率良く持ち上げて分別することができる。
【００４５】
また、内転ドラムの内周の周速度が分別ドラムの外周の周速度と同一である本発明のゴミ分別装置によれば、内転ドラムの内周及び分別ドラムの外周の両方が同一速度で上昇するため、軟体物又は軽量物が分別ドラムから落下するのを少なくして、軟体物又は軽量物を、より効率良く持ち上げて分別することができる。また、内転ドラムの内周及び分別ドラムの外周の速度の違いにより生じる羽根の破損を防止できる。
【００４６】
また、羽根が弾性体から成る本発明のゴミ分別装置によれば、軟体物又は軽量物以外の重量物等は羽根から落下するため、軟体物又は軽量物を効率良く分別することができる。また、ビニール等に羽根が突き刺さることがなく、羽根にビニール等が絡まるのを防止できる。
【００４７】
また、羽根の根元付近が狭部である本発明のゴミ分別装置によれば、軟体物又は軽量物以外の重量物等が羽根の根元付近に引っ掛かるのを防止して、重量物等を確実に羽根から落下させることができる。
【００４８】
また、導入コンベヤ収納部を備えた本発明のゴミ分別装置によれば、導入コンベヤを収納した状態で、トラック等によって搬送することができる。
【００４９】
また、分別ドラムの回転軸を揺動可能に支持する支持手段を備えた本発明のゴミ分別装置によれば、大きい寸法の物が内転ドラムの内周と分別ドラムの外周との間に挟まった場合でも、分別ドラムを移動させて逃がすことにより、落下又は通過させることができる。これにより、内転ドラムの破損を防止できる。
【図面の簡単な説明】
【図１】本発明のゴミ分別装置を示す正面図である。
【図２】図１のゴミ分別装置の側面図である。
【図３】本発明のゴミ分別装置の他の実施形態を示す側面図である。
【図４】図３のゴミ分別装置の羽根を示す図であり、図５（ａ）は側面図であり、図５（ｂ）は平面図であり、図５（ｃ）は正面図である。
【図５】図３のゴミ分別装置の正面図である。
【図６】図３のゴミ分別装置の支持手段を示す正面図であり、図７（ａ）は通常の状態を示す図であり、図７（ｂ）は分別ドラムが揺動した状態を示す図である。
【図７】図３のゴミ分別装置の作用を説明するための正面図である。
【図８】本発明のゴミ分別装置の更に他の実施形態を示す側面図である。
【図９】本発明のゴミ分別装置の更に他の実施形態を示す図であり、図９（ａ）は正面断面図であり、図９（ｂ）は側面図である。
【図１０】本発明のゴミ分別装置の更に他の実施形態を示す図であり、図１０（ａ）は側面図であり、図１０（ｂ）は正面図である。
【図１１】図１０の実施形態の作用を説明するための側面図である。
【図１２】本発明のゴミ分別装置の更に他の実施形態を示す図であり、図１０（ａ）は側面図であり、図１０（ｂ）は正面図であり、図１０（ｃ）は羽根が折れ曲がった状態を示す正面図である。
【符号の説明】
１０、１００、１６０：ゴミ分別装置
１２、１０６：内転ドラム
１４：軟体物
１６、１１２：分別ドラム
１８、１１４：コンベヤ
２０：爪
２２：固形物
１０２：ゴミ混合物
１０４：網状円筒部
１０８：軽量物
１１０：羽根
１１３：回転軸
１１５：支持手段
１１６：傾斜角度調節手段
１１８：粒状物
１２２：固形重量物
１２４：貫通部
１３６：狭部
１４８：揺動軸
【図１】
2004098043.tif 000003
【図２】
2004098043.tif 000004
【図３】
2004098043.tif 000005
【図４】
2004098043.tif 000006
【図５】
2004098043.tif 000007
【図６】
2004098043.tif 000008
【図７】
2004098043.tif 000009
【図８】
2004098043.tif 000010
【図９】
2004098043.tif 000011
【図１０】
2004098043.tif 000012
【図１１】
2004098043.tif 000013
【図１２】
2004098043.tif 000014